(57)【要約】【課題】複数種のキーデバイスに対応しつつインタフェースが単純化されたドア錠システムおよび車両用ドアのハンドルを提供する。【解決手段】車両用ドアのハンドル２００のドア錠システム１００は、扉の開錠可否を判定するための応答を要求する第一通信を実行する第一回路４と、扉の開錠可否を判定するための第二通信を実行し、当該第二通信の受信結果を外部へ送出する第二回路３と、第一回路４および第二回路３の動作を制御する制御回路１と、を備え、制御回路１は、第一通信もしくは第二通信の一方が実行される際に、他方を実行停止させる制御部２を有し、第一回路４と制御回路１とは一対の電線５に並列接続されている。【選択図】図１
2020084469.tif 000002
【特許請求の範囲】
【請求項１】
扉の開錠可否を判定するための応答を要求する第一通信を実行する第一回路と、
前記扉の開錠可否を判定するための第二通信を実行し、当該第二通信の受信結果を外部へ送出する第二回路と、
前記第一回路および前記第二回路の動作を制御する制御回路と、を備え、
前記制御回路は、前記第一通信もしくは前記第二通信の一方が実行される際に、他方を実行停止させるドア錠システム。
【請求項２】
前記第一回路は、無線通信により前記第一通信を実行可能であり、
前記第二回路は、無線通信により前記第二通信を実行可能であり、
前記第一回路は、前記第二回路に対して相対的に遠距離の無線通信を実行する請求項１に記載のドア錠システム。
【請求項３】
前記制御回路は、前記第二通信が実行可能である場合、前記第一通信を実行停止させる請求項２に記載のドア錠システム。
【請求項４】
前記制御回路は、前記第二通信が実行される際に、前記第一回路を動作不能にする請求項１から３のいずれか一項に記載のドア錠システム。
【請求項５】
前記第一回路は、無線通信用の第一アンテナ回路を有し、
前記制御回路は、前記第二通信が実行される際に、前記第一アンテナ回路を遮断する請求項１から４のいずれか一項に記載のドア錠システム。
【請求項６】
前記第一アンテナ回路は、コイルを有する第一アンテナと、コンデンサおよび当該コンデンサに直列接続されたスイッチとを有し、
前記コイルと前記コンデンサおよび前記スイッチとは、前記制御回路と並列接続されており、
前記制御回路は、前記第二通信が実行される際に前記スイッチを短絡させて、前記コイルと前記コンデンサとを含むＬＣ回路を構成する請求項５に記載のドア錠システム。
【請求項７】
前記扉の開錠指示又は施錠指示を入力するための近接センサを更に備え、
前記第二回路は、無線通信用の第二アンテナを有し、
近接センサは、前記開錠指示又は前記施錠指示を検出するための電極を有し、
前記第二アンテナは、前記電極の外周に隣接して設けられている請求項１から６のいずれか一項に記載のドア錠システム。
【請求項８】
前記近接センサは、第一近接距離と、前記第一近接距離よりも近い第二近接距離とを識別可能であり、
前記制御回路は、前記第一近接距離での近接を検出した場合、前記第二通信の実行を可能とし、前記第二近接距離での近接を検出した場合、前記第二通信の実行を停止する請求項７に記載のドア錠システム。
【請求項９】
前記制御回路は、前記第二通信が実行される際に、前記近接センサの動作を停止させる、請求項７に記載のドア錠システム。
【請求項１０】
車両用扉の開錠可否を判定するための応答を要求する第一通信を実行する第一回路と、
前記車両用扉の開錠可否を判定するための第二通信を実行し、当該第二通信の受信結果を送出する第二回路と、
前記第一回路および前記第二回路の動作を制御する制御回路と、
前記第一回路と前記制御回路とが並列接続された一対の電線と、
前記第一回路、前記第二回路、および前記制御回路を収容するケーシングと、を備え、
一対の前記電線は、前記第二通信の受信結果を外部へ送出すると共に、前記外部から供給された電力を前記第一回路、前記第二回路、および前記制御回路へ供給し、
前記制御回路は、前記第一通信もしくは前記第二通信の一方が実行される際に、他方を実行停止させる車両用ドアのハンドル。
【発明の詳細な説明】
【技術分野】
【０００１】
本発明は、ドアの開錠又は施錠、および開錠および施錠が可能なドア錠システムおよび車両用ドアのハンドルに関する。
【背景技術】
【０００２】
車両などのドア（扉）を、ドアから離れた場所で解錠施錠を行う携帯型の無線鍵装置（以下、キーデバイスと記載する）が利用されている。このようなキーデバイスの内、ポケットやバッグにキーデバイスを収容した状態で、ドアハンドルに手を近接や接触、離間などすることで、解錠施錠ができるキーは、スマートキーなどと呼ばれる。
【０００３】
特許文献１には、スマートキーシステムを採用した車両用ドアハンドル装置に係る発明が記載されている。この車両用ドアハンドル装置は、ドアハンドルの内部に車載機器（ドア錠システム）が搭載されている。車載機器は、車両のＥＣＵ（エレクトロニックコントロールユニット）と第一ラインおよび第二ラインとで電気的に接続されている。車載機器は、携帯機（キーデバイスの一例）への返答リクエスト信号を外部に送信するアンテナ機能を有するアンテナ用コイル、ロックセンサおよびアンロックセンサを有する人検知ＩＣを備えている。
【先行技術文献】
【特許文献】
【０００４】
【特許文献１】特開２０１２−１５４１１９号公報
【発明の概要】
【発明が解決しようとする課題】
【０００５】
特許文献１に記載されているような従来のスマートキーシステムでは、これに用いるキーデバイスは、車両（ドア）に対してあらかじめ定められたキーデバイスが用いられていた。しかし近年の、いわゆるスマートフォンなどの携帯端末の普及や一台の車両を複数人で共有するいわゆるカーシェアリング文化の醸成により、あらかじめ定められたキーデバイスとは別に、種々のキーデバイスが使用可能であることが要請される。この場合、ドアハンドルに、複数種のキーデバイスに対応したドア開錠装置を搭載することが考えられる。しかしこの場合、各々の複数種のキーデバイスに対応すべく設けた回路やアンテナ、およびこれらの電波通信や信号の伝送などの干渉が問題となる。干渉が生じると、適切な開錠施錠が行えないため問題である。また、回路等の増加により、車両との接続インタフェースが複雑になるおそれもあるため、インタフェースの単純化が要請される。
【０００６】
本発明は、かかる実状に鑑みて為されたものであって、その目的は、複数種のキーデバイスに対応しつつインタフェースが単純化されたドア錠システムおよび車両用ドアのハンドルを提供することにある。
【課題を解決するための手段】
【０００７】
上記目的を達成するための本発明に係るドア錠システムの特徴構成は、扉の開錠可否を判定するための応答を要求する第一通信を実行する第一回路と、前記扉の開錠可否を判定するための第二通信を実行し、当該第二通信の受信結果を外部へ送出する第二回路と、前記第一回路および前記第二回路の動作を制御する制御回路と、を備え、前記制御回路は、前記第一通信もしくは前記第二通信の一方が実行される際に、他方を実行停止させる点にある。
【０００８】
上記構成によれば、第一回路は、第一のキーデバイスに対して、扉の開錠可否を判定するための応答を要求する第一通信を実行可能である。第一通信は、第一回路から第一のキーデバイスに対して一方向で行われる通信としての送信である。第一通信には、ブロードキャスト通信が含まれる。第二回路は、第二の（他の）キーデバイスと第二通信を実行できる。第二通信は、扉の開錠可否を判定するための応答を要求する通信と、当該応答の受信とを含む相方向通信である。第二回路は、扉の開錠可否を判定するための情報を含む受信結果を外部（たとえば、車両のＥＣＵ）へ送出する。これにより、ドア錠システムは、複数の（２以上の）キーデバイスに対応する。
【０００９】
上記構成によれば、制御回路が、第一通信もしくは第二通信の一方が実行される際に、他方を実行停止させる。これにより、第一回路もしくは第二回路は、一方の回路が通信を実行している場合に、他方の回路の通信による干渉（ノイズ）を受けない。その結果、第一通信および第二通信は適切に実行可能となり、ドア錠システムは、複数のキーデバイスに適切に対応できる。このように干渉を回避できるため、ドア錠システムと外部（例えば、車両のＥＣＵ）とのインタフェースも単純化可能となる。たとえば、第一回路と第二回路とで信号線を別々にしたりすることを要しない。
【００１０】
本発明に係るドア錠システムの更なる特徴構成は、前記第一回路は、無線通信により前記第一通信を実行可能であり、前記第二回路は、無線通信により前記第二通信を実行可能であり、前記第一回路は、前記第二回路に対して相対的に遠距離の無線通信を実行する点にある。
【００１１】
上記構成によれば、第一回路は、第二回路に対して相対的に遠距離の無線通信を実行可能である。たとえば、遠距離のキーデバイスとの通信は、第一回路が第一通信として実行する。近距離のキーデバイスとの通信は、第二回路が第二通信として実行する。近距離のキーデバイスと第二通信を実行する際は、第一通信の実行は停止されるため、搭乗者がドアハンドルなどのキーデバイスに近づいた際には、適切に第二通信を実行して開錠施錠を行える。
【００１２】
本発明に係るドア錠システムの更なる特徴構成は、前記制御回路は、前記第二通信が実行可能である場合、前記第一通信を実行停止させる点にある。
【００１３】
上記構成によれば、第一通信に対応するキーデバイスおよび第二通信に対応するキーデバイスが、それぞれ第一通信および第二通信で通信可能である場合、第一通信の実行が停止されることで、第二通信が優先して実行される。また、第二通信が実行されている場合に、第二通信の実行中に第一通信の実行が開始されて第二通信が阻害されることを防止できる。
【００１４】
本発明に係るドア錠システムの更なる特徴構成は、前記制御回路は、前記第二通信が実行される際に、前記第一回路を動作不能にする点にある。
【００１５】
上記構成によれば、第一通信に対応するキーデバイスおよび第二通信に対応するキーデバイスが、それぞれ第一通信および第二通信で通信可能である場合、第一回路を動作不能に設定されることで第一通信の実行が停止される。これにより、第二通信が優先して実行される。また、第二通信が実行されている際に、第一回路を動作不能に設定して第一通信の実行を阻止しておくことで、第二通信の実行中に第一通信の実行が開始されて第二通信が阻害されることを防止できる。
【００１６】
本発明に係るドア錠システムの更なる特徴構成は、前記第一回路は、無線通信用の第一アンテナ回路を有し、前記制御回路は、前記第二通信が実行される際に、前記第一アンテナ回路を遮断する点にある。
【００１７】
上記構成によれば、第一アンテナ回路が遮断されることで、第一回路が第一通信を実行不能になる。これにより、第二通信が優先して実行される。また、第二通信が阻害されることを防止できる。
【００１８】
本発明に係るドア錠システムの更なる特徴構成は、前記第一アンテナ回路は、コイルを有する第一アンテナと、コンデンサおよび当該コンデンサに直列接続されたスイッチとを有し、前記コイルと前記コンデンサおよび前記スイッチとは、前記制御回路と並列接続されており、前記制御回路は、前記第二通信が実行される際に前記スイッチを短絡させて、前記コイルと前記コンデンサとを含むＬＣ回路を構成する点にある。
【００１９】
上記構成によれば、スイッチの短絡により、第一アンテナ回路にＬＣ並列回路を構成可能である。制御回路が当該スイッチを短絡させることにより、第一回路は第一通信を実行不能になる。
【００２０】
本発明に係るドア錠システムの更なる特徴構成は、前記扉の開錠指示又は施錠指示を入力するための近接センサを更に備え、前記第二回路は、無線通信用の第二アンテナを有し、近接センサは、前記開錠指示又は前記施錠指示を検出するための電極を有し、前記第二アンテナは、前記電極の外周に隣接して設けられている点にある。
【００２１】
上記構成によれば、乗員が所持しているキーデバイスとの通信によりあらかじめ扉の開錠が可と判定されている場合、キーデバイスを所持した乗員が近接センサの電極を介して扉の開錠指示を行える。同様に、乗員が所持しているキーデバイスとの通信によりあらかじめ扉の施錠が可と判定されている場合、キーデバイスを所持した乗員が近接センサの電極を介して扉の施錠指示を行える。なお、近接センサとは、乗員の身体（たとえば、手）の近接離間を検出するセンサである。以下の説明において、近接には接触を含む。
【００２２】
上記構成によれば、第二アンテナを近接センサの外周に隣接して設けることで、第二アンテナおよび近接センサの電極をコンパクトに配置可能である。特に、第一回路が第二回路に対して相対的に遠距離の無線通信を実行する場合、第二アンテナを有する第二回路は相対的に近距離の無線通信を実行するが、第二アンテナおよび近接センサの電極が隣接して設けられることで、近距離におけるキーデバイスによる開錠可もしくは施錠可の判定と同時もしくは直後に近接センサの電極により開錠指示又は施錠指示が行える。これにより、乗員の使用感の向上とセキュリティの向上とを実現できる。
【００２３】
本発明に係るドア錠システムの更なる特徴構成は、前記近接センサは、第一近接距離と、前記第一近接距離よりも近い第二近接距離とを識別可能であり、前記制御回路は、前記第一近接距離での近接を検出した場合、前記第二通信の実行を可能とし、前記第二近接距離での近接を検出した場合、前記第二通信の実行を停止する点にある。
【００２４】
上記構成によれば、たとえば、接触などの第二近接距離と、近接センサで検知可能な程度の近い距離、かつ、第二近接距離よりも遠い第一近接距離とを区別して、近接センサで検出される程度近くであるが接触するほど近くない第一近接距離にキーデバイスを所持する乗員が存在することを確認しつつ第二通信を実行できる。この場合乗員は、近接センサへの接触により開錠指示又は施錠指示を入力してもよい。
【００２５】
本発明に係るドア錠システムの更なる特徴構成は、前記制御回路は、前記第二通信が実行される際に、前記近接センサの動作を停止させる点にある。
【００２６】
上記構成によれば、第二通信の実行中に、近接センサの電極からの干渉（ノイズ）を受けない。その結果、第二通信を適切に実行可能となる。
【００２７】
上記目的を達成するための本発明に係る車両用ドアのハンドルの特徴構成は、車両用扉の開錠可否を判定するための応答を要求する第一通信を実行する第一回路と、前記車両用扉の開錠可否を判定するための第二通信を実行し、当該第二通信の受信結果を送出する第二回路と、前記第一回路および前記第二回路の動作を制御する制御回路と、前記第一回路と前記制御回路とが並列接続された一対の電線と、前記第一回路、前記第二回路、および前記制御回路を収容するケーシングと、を備え、一対の前記電線は、前記第二通信の受信結果を外部へ送出すると共に、前記外部から供給された電力を前記第一回路、前記第二回路、および前記制御回路へ供給し、前記制御回路は、前記第一通信もしくは前記第二通信の一方が実行される際に、他方を実行停止させる点にある。
【００２８】
上記構成によれば、上述のドア錠システムをケーシング内に収容した車両用ドアのハンドルにおいて、上述のドア錠システムと同様の効果を奏することができる。また、上述のドア錠システムは、ケーシング内に収容された状態において、一対の電線により電力供給を受け、また、外部出力が可能であるため、ケーシング内に収容された状態のドア錠システムと外部（例えば、車両のＥＣＵ）とのインタフェースが単純化される。
【発明の効果】
【００２９】
複数種のキーデバイスに対応しつつインタフェースが単純化されたドア錠システムおよび車両用ドアのハンドルを提供することができる。
【図面の簡単な説明】
【００３０】
【図１】車両用ドアハンドルおよびドア錠システムの構成図
【図２】車両用ドアハンドルの分解斜視図
【図３】ロックセンサおよび第二アンテナ部分の部分拡大図
【図４】車両用ドアハンドルおよびドア錠システムの別の構成図
【発明を実施するための形態】
【００３１】
図１から図４に基づいて、本発明の実施形態に係るドア錠システムおよび車両用ドアのハンドルについて説明する。
【００３２】
〔概略構成〕
図１および図２に示すように、ドア錠システム１００は、車両用ドア（扉の一例）のハンドル２００に内蔵されている。ドア錠システム１００は、図１に示すように、車両（図示せず）のエレクトロニックコントロールユニット（以下ではＥＣＵ９と記載する）と一対の電線９ｓ、９ｇで接続されている。
【００３３】
ドア錠システム１００は、アンテナ機能を有するコイル４０（第一アンテナの一例）やコイル３０（第二アンテナの一例）などを有し、車両の乗員が所持しているキーデバイスや、キーデバイスとして機能することが可能な携帯型電子機器（たとえば、スマートフォン）と通信して開錠可否や施錠可否を判定するための情報（たとえば、車両への搭乗を許可された乗員のＩＤ、受信結果の一例）を要求し、もしくは取得し、また、乗員からのドアの開閉指令の入力を受け付ける装置である。ドア錠システム１００は、コイル４０により、開錠可否や施錠可否を判定するための応答を要求する第一通信を実行する。ドア錠システム１００は、コイル３０により、開錠可否や施錠可否を判定するための第二通信を実行する。以下では、開錠可否や施錠可否を判定するための情報を、単に判定情報と記載する場合がある。また、以下では、上述のキーデバイスと、キーデバイスとして機能することが可能な携帯型電子機器とを包括して、単にキーデバイスと記載する場合がある。以下の説明では、主としてドア錠システム１００が開錠する場合の第一通信および第二通信を例示して説明するが、施錠する場合についても同様である。
【００３４】
第二通信は、キーデバイスが第一通信を実行可能な領域よりも、ドア錠システム１００とより近い領域内において実行可能である。
【００３５】
〔ＥＣＵの説明〕
ＥＣＵ９は、ドア錠システム１００を搭載したハンドル２００を使用した車両の中央制御装置もしくはその一部である。ＥＣＵ９は、電源回路９０、開錠回路９１、および第一アンテナ駆動回路９２を有する。なお、本実施形態における回路とは、一つの基板上に複数の電子部品が搭載されたものや、複数の電子部品の機能がワンチップ化されたいわゆる集積回路（ＩＣ）である場合などを包含する一般的な形態を意味するに過ぎず、具体的な形態を特定するものではない。
【００３６】
電源回路９０は、ドア錠システム１００に駆動用の電力を供給する電源装置である。電源回路９０は、電線９ｓを通じて直流電流で電力を供給する。なお、電線９ｇはグランドである。
【００３７】
開錠回路９１はドア錠システム１００から車両用ドアの開錠可否の判定を行うための情報や扉の開錠指示の入力に係る情報を、電線９ｓの電流値の振幅などで取得する。開錠回路９１は、これら情報に基づいて、車両用ドアの開錠可否の判定や、扉の開錠装置(図示せず)に対して開錠の指示を送出する。
【００３８】
第一アンテナ駆動回路９２は、アンテナとしてのコイル４０の駆動回路である。第一アンテナ駆動回路９２は、電線９ｇに符号化した交流電流を供給し、コイル４０に所定の信号（たとえば、キーデバイスへの通信要求信号）を送信させる。
【００３９】
〔ドア錠システムの説明〕
ドア錠システム１００は、図１に示すように、コイル４０を有し、遠距離通信に適した第一回路４、コイル３０を有し、第一回路４の場合とは相対的に近距離通信に適した第二回路３、乗員からのドアの開錠指示の入力を受け付けるアンロックセンサ部１６（近接センサの一例）、第一回路４、第二回路３、乗員からのドアの施錠指示の入力を受け付けるロックセンサ部１５の動作に基づいてドア錠システム１００の動作を制御する制御部２を有する制御回路１、および、一対の電線９ｓ、９ｇと接続された一対の電線５（電線５１、５２）を備えている。
【００４０】
第一回路４は、乗員が携帯（所持）しているキーデバイス（たとえば、あらかじめ車両に添付して販売された無線鍵装置）と電波による無線通信（送信）を行うための回路である。第一回路４は、本実施形態では、遠距離通信に適した通信方式で通信を実行する。第一回路４は、本実施形態では、いわゆるＬＦ帯域（周波数が３０ｋＨｚから３００ｋＨｚ）を用い、例えば、ＡＭ変調で符号化した応答要求信号をブロードキャスト送信する無線通信（いわゆるＬＦ通信）を実行する（第一通信の一例）。以下では、第一回路４などがドア錠システム１００として行う応答要求信号の送信を、単に通信と記載する場合がある。ここではＬＦ通信を例示したが、他の遠距離通信、例えば、Ｂｌｕｅｔｏｏｔｈ（登録商標）での通信の場合は通信を送受信するようにしても良い。
【００４１】
第一回路４は、アンテナ機能を有するコイル４０、コイル４０と直列接続された第一コンデンサ４１、コイル４０と並列接続された第二コンデンサ４２、第二コンデンサ４２と直列接続されたスイッチ４３を有する。
【００４２】
第一コンデンサ４１は、電線５１に設けられている。第一コンデンサ４１は、ＤＣカット（いわゆるカップリング）回路である。第一コンデンサ４１は、ＥＣＵ９の第一アンテナ駆動回路９２から送出される交流電流をコイル４０に供給（バイパス）可能とし、電線５１から供給される電流の直流成分がコイル４０に供給されないようにカットする。また、第一コンデンサ４１は、コイル４０と共に、ＬＣ直列共振回路を構成する。このＬＣ直列共振回路は、第一コンデンサ４１の静電容量の調整により、ＥＣＵ９の第一アンテナ駆動回路９２から送出される交流電流の周波数と共振する。これにより、コイル４０は無線通信において適切な送信を行える。
【００４３】
コイル４０は、ＬＦ帯域でのアンテナ機能を有する巻電線である。コイル４０は、一端が電線５１に接続され、他端が電線５２に接続されている。コイル４０と第一コンデンサ４１との間の電線５１を、以下では電線５１ｂと記載し、他の電線５１の部分を電線５１ａと記載する。
【００４４】
第二コンデンサ４２およびスイッチ４３は、電線５１ｂと電線５２とに接続された電線４２ａに設けられている。本実施形態では、第二コンデンサ４２は、スイッチ４３に対して電線５１ｂ側に設けられている。第二コンデンサ４２は、スイッチ４３が短絡している場合、コイル４０と共にＬＣ並列回路（第一アンテナ回路、ＬＣ回路の一例）を構成する。第二コンデンサ４２は、スイッチ４３が短絡（いわゆる閉）された場合、コイル４０とのＬＣ並列回路を構成される。スイッチ４３が開放（導通を遮断、いわゆる開）された場合、コイル４０とのＬＣ並列回路の構成を解除される。スイッチ４３の開閉（遮断および短絡）は、制御回路１の指令に基づいて行われる。なお、スイッチ４３は、電界効果トランジスタや絶縁ゲートバイポーラトランジスタ、ないし、その他のスイッチ機能を有するデバイスや接点構造であればよい。
【００４５】
スイッチ４３が短絡されてＬＣ並列回路が構成された場合、第一回路４は、通信不能になる。スイッチ４３が開放されて第二コンデンサ４２がコイル４０から遮断された場合、ＬＣ並列回路が解除される。これにより第一回路４は通信可能になる。
【００４６】
第一回路４の通信を受信したキーデバイスは、第一の固有のＩＤを含む情報を車両に送信する（以下では第一応答通信と記載する）。本実施形態では、車両には、コイル４０やコイル３０とは別のアンテナ（図示せず）が設けられ、当該アンテナが、キーデバイスの第一応答通信を受信する。開錠回路９１は、当該第一応答通信から第一の固有のＩＤを含む情報を取得し、開錠可と判定すれば、アンロックセンサ部１６からの開錠指令の受信を待機する。開錠回路９１は、開錠不可と判定すればそのまま待機する。
【００４７】
第二回路３は、乗員が携帯している別のキーデバイス（たとえば、あらかじめ車両に登録されたＩＤ情報を記録されたスマートフォン）と電波による無線通信を行うための回路である。第二回路３は、本実施形態では、近距離通信に適した通信方式で通信を実行する。第二回路３は、いわゆるＲＦＩＤ（Ｒａｄｉｏ  Ｆｒｅｑｕｅｎｃｙ  ＩＤｅｎｔｉｆｉｃａｔｉｏｎ）と呼ばれる無線通信による個体識別機能を実現する通信方式などで通信する。第二回路３は、本実施形態では、いわゆるＮＦＣ（Ｎｅａｒ  Ｆｉｅｌｄ  Ｃｏｍｍｕｎｉｃａｔｉｏｎ）とよばれる近距離無線通信を実行し、第一回路４の場合と同様に、キーデバイスからの応答信号（ＩＤなどを含む信号）を受信することで、判定情報を取得する（第二通信の一例）。第二回路３は、制御部２の動作指令に基づいて通信を実行する。近距離無線通信についての詳細説明は省略する。
【００４８】
第二回路３は、コイル３０、コイル３０を駆動する第二アンテナ駆動回路３１、およびコイル３０で受信した電波信号に含まれる信号を制御回路１へ送信し、制御回路１から第二回路３の動作に係る指令を受信する通信部３２を有する。第二回路３は、その電源端子３９ｓと電線５１ａとを、ダイオード３ｄを有する電線３ｓで接続されて電力供給を受けている。ダイオード３ｄは、アノード側が電線５１ａ側に接続されている。第二回路３は、そのグランド端子３９ｇと電線５２とを、電線３ｇで接続されてグランドに接続されている。つまり、制御回路１は、一対の電線５に対して第一回路４や第一回路４のコイル４０と並列接続されている。
【００４９】
コイル３０は、ＮＦＣアンテナ機能を有する巻電線である。本実施形態では、ＮＦＣアンテナ機能を実現する例として、コイル３０が巻電線であるコイルを例示しているが、巻電線に代えて、基板にプリントされた導電パターンによってＮＦＣアンテナ機能を実現しても良い。
【００５０】
第二アンテナ駆動回路３１は、ＮＦＣ通信用の回路である。第二アンテナ駆動回路３１は、コイル３０を駆動してＮＦＣ通信を実行する。また、第二アンテナ駆動回路３１は、コイル３０のインピーダンスの変化に基づいてＮＦＣ通信可能な他の機器（本実施形態では、ＮＦＣ通信可能なキーデバイス）が、第二回路３の通信可能エリアに存在することを検知し、当該検知が行われた場合に第二回路３としてＮＦＣ通信を実行する。
【００５１】
通信部３２は、信号線１２ａを通じて制御回路１と通信可能に接続されている。通信部３２は、制御回路１と通信して受信した動作指令に基づいて第二アンテナ駆動回路３１に通信を実行させる。通信部３２は、第二アンテナ駆動回路３１の通信の実行によりコイル３０で受信した電波信号に含まれる信号を取得する。通信部３２は、制御回路１から取得した動作指令に基づいて第二アンテナ駆動回路３１を駆動し、コイル３０を介して所定の信号を送信させる。なお、本実施形態では、第二アンテナ駆動回路３１は、コイル３０で受信した電波信号に含まれる信号を復調した後、復調した信号を通信部３２へ送出している。
【００５２】
制御回路１は、制御部２を有し、第一回路４や第二回路３などの動作を制御する回路である。制御回路１は、第二回路３と通信して第二回路３を制御し、第二回路３からの信号を取得する第二回路制御部１２、第一回路４の動作状態を監視する第一回路検知部１３、スイッチ４３の開閉を制御する第一回路制御部１４、ロックセンサ電極１５ａを有し、乗員からの施錠指令の入力を検出するロックセンサ電極１５ａから施錠指令を取得してＥＣＵ９に施錠指令を送出するロックセンサ部１５、アンロックセンサ電極１６ａ（電極の一例）を有し、乗員からの開錠指令の入力を検出するアンロックセンサ電極１６ａからの開錠指令を取得してＥＣＵ９に開錠指令を送出するアンロックセンサ部１６、および出力部１１を備えている。
【００５３】
制御回路１は、その電源端子１９ｓと電線５１ａとを、ダイオード１ｄおよび抵抗１ｒを有する電線１ｓで接続されて電力供給を受けている。ダイオード１ｄは、アノード側が電線５１ａ側に接続されている。制御回路１は、そのグランド端子１９ｇと電線５２とを電線１ｇで接続されてグランドに接続されている。制御回路１は、出力部１１とダイオード１ｄよりも電線５１ａ側の電線１ｓとを、ダイオード１１ｄおよび抵抗１１ｒを有する電線１１ａで接続されている。ダイオード１１ｄは、アノード側が電線１ｓ側に接続されている。
【００５４】
出力部１１は、制御回路１の第二回路制御部１２、ロックセンサ部１５、およびアンロックセンサ部１６などから出力される信号を電流の振幅に変換（符号化）してＥＣＵ９に送出する回路である。制御回路１の各部からＥＣＵ９へ出力される信号は、出力部１１を介してＥＣＵ９に出力される。以下では出力部１１の動作については記載を省略する。
【００５５】
第一回路検知部１３は、電線５１ｂと、抵抗１３ｒを有する電線１３ａにより接続されている。第一回路検知部１３は電線５１ｂの電圧（ピーク電圧の大小）を検知し、検知結果を制御部２に送出する。制御部２は第一回路検知部１３の検知結果により、第一回路４がＥＣＵ９に駆動されて送信中であるかどうかを判定する。本実施形態では、ピーク電圧が所定の値よりも高ければ、送信中であると判定する。
【００５６】
第二回路制御部１２は、通信部３２から判定情報を含む信号を受信し、制御部２の動作指令に基づいて第二回路３の動作に係る指令（通信の許可や禁止など）を第二回路３に送信する。第二回路制御部１２は、判定情報を含む信号を更に開錠回路９１へ送出する。開錠回路９１は、判定情報を含む信号を受信して開錠可と判定すれば、アンロックセンサ１６からの開錠指令の受信を待つことなく開錠する。開錠回路９１は、開錠不可と判定すればそのまま待機する。
【００５７】
ロックセンサ電極１５ａおよびアンロックセンサ電極１６ａは、静電容量型の近接センサ等である。ロックセンサ部１５およびアンロックセンサ部１６は、ロックセンサ電極１５ａやアンロックセンサ電極１６ａが乗員の近接を検知すると、それぞれ、ＥＣＵ９に施錠指令や開錠指令を送出する。なお、本実施形態における近接には接触が含まれる。
【００５８】
第一回路制御部１４は、制御部２の指令に基づいて、スイッチ４３を開閉する。第一回路制御部１４とスイッチ４３とは、信号線１４ａで通信可能に接続されている。
【００５９】
制御部２は、制御回路１のＣＰＵなどであり、制御回路１の各部の制御、および、第一回路４および第二回路３の動作を制御する中央制御部である。
【００６０】
制御部２は、第一回路４もしくは第二回路３の一方が通信する際に、他方の通信を停止させることができる。
【００６１】
〔ドア錠システムの動作の説明〕
本実施形態におけるドア錠システムの動作の一例を説明する。以下では、図１に示すドア錠システム１００について説明する。
【００６２】
制御部２は、第一回路検知部１３の検知結果に基づいて、ＥＣＵ９が第一回路４で通信していないタイミングで（期間内に）第二回路３に通信させる。制御部２は、第二回路３に通信させる際に、第一回路４の通信を停止させる。つまり、第二回路３の通信を優先する。
【００６３】
制御部２は、第一回路４の通信を停止させる場合、第一回路制御部１４に指令して、スイッチ４３を短絡させてＬＣ並列回路を構成し、第一回路４を送信不能とする。
【００６４】
ＥＣＵ９は所定のタイミングで第一回路４の送信と送信停止とを交互に繰り返す。
【００６５】
制御部２は、第一回路４の送信期間中はスイッチ４３を開放させる。なお、制御部２は、スイッチ４３を開放している旨をＥＣＵ９にあらかじめ通知し、当該通知に基づいてＥＣＵ９が第一回路４に送信させてもよい。
【００６６】
制御部２は、ＥＣＵ９が第一回路４からの送信を停止している際（期間中）に、スイッチ４３を短絡させる。これにより、第一回路４にＬＣ並列回路が形成されて、第一回路４が通信不能になる。制御部２は、第一回路４に通信不能な状態を一定期間維持させ、その後、スイッチ４３を開放させて第一回路４を送信可能にする。
【００６７】
制御部２は、ＥＣＵ９が第一回路４からの通信を停止している際であって、かつ、第一回路４が通信不能とされている際（期間中）に、第二回路３に通信を許可する。第二回路３は、通信可能なキーデバイスが第二回路３の通信可能エリアに存在するかどうかを検知し、存在することが検知された場合に通信を実行し、判定情報を取得してＥＣＵ９に送信する。第二回路３は制御部２に通信を禁止されると、通信の実行を停止する。制御部２は、第二回路３に通信を許可もしくは禁止した場合、その旨をＥＣＵ９に通知してもよい。当該通知により、ＥＣＵ９はＥＣＵ９が第一回路４からの通信を待機し、また、再開することができる。
【００６８】
〔ハンドルの説明〕
図２には、ドア錠システム１００を搭載した車両用のハンドル２００の分解斜視図を示している。
【００６９】
ハンドル２００は、車両のドア（図示せず）に搭載される。図２に示すように、ハンドル２００は、ドア錠システム１００が搭載される第一座部８１と、第一座部８１に嵌めこまれて固定され、ドア錠システム１００の基板の一部を支持する第二座部８２と、第二座部８２およびドア錠システム１００を収容して外側を覆うケーシング８３とを有する。
【００７０】
ドア錠システム１００は、本実施形態では、ハンドル２００の長手方向の一端側にコイル３０およびロックセンサ電極１５ａを配置し、他端側にコイル４０およびアンロックセンサ電極１６ａを配置している。ドア錠システム１００の一対の電線５は、ハンドル２００の一端側に設けられた一対の接続端子５ａを有し、接続端子５ａを介して車両のＥＣＵ９と接続される。
【００７１】
図３は、図２に示したドア錠システム１００におけるコイル３０およびロックセンサ電極１５ａを配置した部分の部分拡大図である。平面状に形成されたロックセンサ電極１５ａの電極板の外周に沿いこれを囲むように、コイル３０が配置されている。コイル３０は、ロックセンサ電極１５ａに隣接して設けられている。コイル３０は、ロックセンサ電極１５ａの支持基盤の上に、電極パターンとして形成されている。
【００７２】
以上のようにして、複数種のキーデバイスに対応しつつインタフェースが単純化されたドア錠システムおよび車両用ドアのハンドルを提供できる。
【００７３】
〔別実施形態〕
（１）上記実施形態では、制御部２は、第一回路４もしくは第二回路３の一方が通信する際に、他方の通信を停止させることができる旨を説明した。しかし、制御部２は更に、第二回路３が通信する際に、ロックセンサ部１５やアンロックセンサ部１６の、ロックセンサ電極１５ａやアンロックセンサ電極１６ａによる検出を停止させることもできる。
【００７４】
たとえば、制御部２が第二回路３に通信を許可している際に、ロックセンサ部１５のロックセンサ電極１５ａによる検出を停止させるとよい。この場合、特に、第二アンテナ駆動回路３１が第二回路３の通信可能エリアに通信可能なキーデバイス存在することを検知した場合にロックセンサ部１５のロックセンサ電極１５ａによる検出を停止させるとよい。このようにすることで、第二回路３とキーデバイスとの通信の確実性が高まる。なお、ロックセンサ部１５のロックセンサ電極１５ａによる検出の停止は、例えばロックセンサ部１５とロックセンサ電極１５ａとの接続を遮断してもよいし、ロックセンサ電極１５ａをグランドに接続してもよい。アンロックセンサ部１６およびアンロックセンサ電極１６ａの場合も同様である。
【００７５】
（２）上記実施形態では、第二回路３がＮＦＣ通信を行う場合を説明したが、ＮＦＣ通信以外のその他の近距離無線通信を行える。
【００７６】
（３）上記実施形態では、ロックセンサ電極１５ａおよびアンロックセンサ電極１６ａは、静電容量型の近接センサ等であり、ロックセンサ部１５およびアンロックセンサ部１６は、ロックセンサ電極１５ａやアンロックセンサ電極１６ａが乗員の近接を検知すると、それぞれ、ＥＣＵ９に施錠指令や開錠指令を送出する場合を説明した。このように乗員の近接を検知する場合、ロックセンサ部１５およびアンロックセンサ部１６はたとえば、接触（第二近接距離）と、接触を除く近接（第一近接距離）とを区別（識別の一例）して、接触と、接触を除く近接とをそれぞれ異なる動作指令として認識することもできる。
【００７７】
たとえば、制御部２は、アンロックセンサ部１６による接触を除く近接が検出された場合、第二回路３の通信を禁止し、接触が検知されている状態において、第二回路３の通信を許可してもよい。この場合、たとえば、キーデバイスを所持している乗員が偶然車両の近くに存在し、第二回路３が当該キーデバイスと通信し、開錠回路９１がアンロックセンサ部１６からの開錠指令の受信を待機している場合に、キーデバイスを所持していないその他の人がアンロックセンサ電極１６ａに近接して、キーデバイスを所持している乗員の開錠意思とは無関係にドアが開錠されるような不都合を回避できる。
【００７８】
また、制御部２は、ロックセンサ部１５による接触を除く近接が検出された場合、第二回路３の通信を許可（第二通信の実行を可能とする一例）し、接触が検知されている状態において、第二回路３の通信を禁止（第二通信の実行を停止する一例）することもできる。この場合、ロックセンサ部１５で近接が検出される程度近くにキーデバイスが存在することを確認しつつ第二回路３で通信を実行できる。なお、ロックセンサ部１５ではなく、アンロックセンサ部１６としてもよい。
【００７９】
（４）上記実施形態では、第一回路４がスイッチ４３を有する場合を説明したが、制御回路１がスイッチ４３を内蔵してもよい。
【００８０】
（５）上記実施形態では、第二回路３は、その電源端子３９ｓと電線５１ａとを、ダイオード３ｄを有する電線３ｓで接続されて電力供給を受けている場合を説明したが、第二回路３は、図４に示すように制御回路１から電力供給を受けてもよい。この場合、制御回路１にレギュレータなどで電圧調整等された電流を出力する出力端子１９ａを設ける。そして、第二回路３は、その電源端子３９ｓと出力端子１９ａとを電線で接続されて電力供給を受ける。
【００８１】
（６）上記実施形態では、第一回路４の第一コンデンサ４１は、コイル４０と共に、ＬＣ直列共振回路を構成する場合を説明した。これに加えて、第一回路４は、第一コンデンサ４１およびコイル４０と直列に接続されるダンピング抵抗を有してもよい。このダンピング抵抗により、第一回路４が送信する際に、そのＬＣ直列共振回路に蓄えられる電荷を早期に減衰させて、ＬＣ直列共振回路の共振をシャープにすることができる。
【００８２】
（７）上記実施形態では、ドア錠システム１００がＬＦ通信を実行する第一回路４と、ＮＦＣなどの近距離無線通信を実行する第二回路３とを有する場合を説明した。ドア錠システム１００は、これらに加えて、更に他の通信方式（たとえば、Ｂｌｕｅｔｏｏｔｈなどの通信）を実行する通信回路を有してもよい。ドア錠システム１００は、第一回路４、第二回路３、および他の通信回路を含む３つ以上の通信回路を有してよい。
【００８３】
（８）上記実施形態では、第一回路４は、アンテナ機能を有するコイル４０、コイル４０と直列接続された第一コンデンサ４１、コイル４０と並列接続された第二コンデンサ４２、第二コンデンサ４２と直列接続されたスイッチ４３を有する場合を説明した。そして、制御部２が、第一回路４の通信を停止させる場合、第一回路制御部１４に指令して、スイッチ４３を短絡させてＬＣ並列回路を構成し、第一回路４を送信不能とする場合を説明した。しかし、第二コンデンサ４２およびスイッチ４３に代えて、コイル４０に直列接続された第二スイッチを有してもよい。この場合、制御部２が、第一回路４の通信を停止させる場合、第二スイッチを開放させて第一回路４を送信不能とすることができる。
【００８４】
なお、上記実施形態（別実施形態を含む、以下同じ）で開示される構成は、矛盾が生じない限り、他の実施形態で開示される構成と組み合わせて適用することが可能であり、また、本明細書において開示された実施形態は例示であって、本発明の実施形態はこれに限定されず、本発明の目的を逸脱しない範囲内で適宜改変することが可能である。
【符号の説明】
【００８５】
１      ：制御回路
２      ：制御部
３      ：第二回路
４      ：第一回路
９ｇ    ：電線
９ｓ    ：電線
１６    ：アンロックセンサ部（近接センサ）
１６ａ  ：アンロックセンサ電極（電極）
３０    ：第二アンテナ
４０    ：コイル（第一アンテナ、第一アンテナ回路、ＬＣ回路）
４２    ：第二コンデンサ（第一アンテナ回路、ＬＣ回路）
８３    ：ケーシング
１００  ：ドア錠システム
２００  ：ハンドル
【図１】
2020084469.tif 000003
【図２】
2020084469.tif 000004
【図３】
2020084469.tif 000005
【図４】
2020084469.tif 000006